(57)【特許請求の範囲】
【請求項１】
先端に針先を有する針体と、
前記針体の基端に設置されたハブと、
前記針体から離間する第１の位置と前記針体の先端を覆う第２の位置との間で回動可能に、前記ハブに設けられたプロテクタとからなる穿刺具であって、
前記プロテクタは、長手方向に延びる開口部を介して前記針体を収納する収納空間を有し、前記開口部にはハブ側に第１針体係止部と針先側に第２針体係止部とが設けられており、
前記プロテクタ、前記第１針体係止部および前記第２針体係止部が可塑性材料からなり、前記第１針体係止部が前記第２針体係止部より係止力が強く、かつ、前記第１針体係止部と前記第２針体係止部との距離が前記針体の長さを１としたとき０．２〜０．８であり、前記プロテクタの上面の前記第１針体係止部に近いところを押すことによって前記針体が前記プロテクタで覆われることを特徴とする穿刺具。
【発明の詳細な説明】
【０００１】
【発明の属する技術分野】
本発明は、注射、輸液や採血の際に血管に穿刺して使用される医療用の穿刺具に関する。
【０００２】
【従来の技術】
近年、使用後の注射針などにキャップするときの誤刺が問題となっており、その問題を解決するために種々の技術が開示され、その中に、針体に向けて回動させて針体を覆うプロテクタをハブに設けたものがある。これらのものは、比較的構造が簡単で確実に針先を覆うことができることで一応の効果があげらている。この場合、針体を覆った後、針体がプロテクタから外れることがないように、針体をプロテクタ内部に収納するための長手方向に延びる開口部に係止部を設ける。
【０００３】
しかし、係止部１４が針先に近いところにあると、特に長い針の場合には、プロテクタのハブに近い所を押しても針の弾性により覆うことができない場合がある（図６）。この場合、プロテクタの針先に部分を押す必要があるが、指を危険な針先の近くもっていくのは危険である。また、これを解消するため係止部を緩いものにすると、針がプロテクタから外れるおそれがある。
【０００４】
また、係止部１５がハブに近いところにあると、プロテクタの係止部に近いところを押すことで容易に針をプロテクタで覆うことができるが、プロテクタがずれたり、変形した場合に針先が露出するおそれがある（図７）。
【０００５】
【発明が解決しようとする課題】
本発明の目的は、容易かつ確実にプロテクタで針体を覆うことができる穿刺具を提供することにある。
【０００６】
【課題を解決するための手段】
上記課題は以下の本発明により解決される。
【０００７】
本発明は、先端に針先を有する針体と、前記針体の基端に設置されたハブと、前記針体から離間する第１の位置と前記針体の先端を覆う第２の位置との間で回動可能に、前記ハブに設けられたプロテクタとからなる穿刺具であって、前記プロテクタは、長手方向に延びる開口部を介して前記針体を収納する収納空間を有し、前記開口部にはハブ側に第１針体係止部と針先側に第２針体係止部とが設けられており、前記プロテクタ、前記第１針体係止部および前記第２針体係止部が可塑性材料からなり、前記第１針体係止部が前記第２針体係止部より係止力が強く、かつ、前記第１針体係止部と前記第２針体係止部との距離が前記針体の長さを１としたとき０．２〜０．８であり、前記プロテクタの上面の前記第１針体係止部に近いところを押すことによって前記針体が前記プロテクタで覆われることを特徴とする穿刺具である。
【００１０】
【発明の実施の形態】
以下、本発明に係る穿刺具の実施形態の一例を示す。図１、図２及び図３に示す穿刺具１は、鋭利な針先９と基端に設けられたハブ１０とを有する針体８と、針体８から離間する第１の位置（図１の状態）と、針体８の針先９を覆う第２の位置（図３の状態）との間を回動可能に、ハブ１０に設けられたプロテクタ２とからなる。穿刺具１は、例えば、ハブ１０からシリンジ（図示せず）に接続することで注射器として利用するものである。
【００１１】
プロテクタ２は、長手方向に延びる開口部４を介して針体８を収納する収納空間３有する。
開口部４には、ハブ１０側に第１針体係止部５と針先９側に第２針体係止部６とが設けられている。また、プロテクタ２は、その基端部に回動軸７を有している。
【００１２】
ハブ１０にはカラー１３が取り付けられており、カラー１３には孔１２を有する一対のプレートから構成される挟持部１１が設けられている。プロテクタ２の基端部が、挟持部１１に嵌め込まれることにより（この時、回動軸７は孔１２に嵌め込まれる）、プロテクタ２はハブ１０に回動可能に接続されることになる。なお、プロテクタ２とハブ１０との接続方法は上述した構造に限定されず、プロテクタ２とハブ１０との間を可撓性材料で一体成形したものなどでも良い。
【００１３】
第１針体係止部５と第２針体係止部６とは、プロテクタ３が第２の位置にあるとき、その断面図（図３）に示すように、針体８を収納空間３内に固定し、プロテクタ２が第１の位置に戻ることを防ぐものである。
【００１４】
第１針体係止部５は、針体８のハブ１０に近いところにあるため、ハブ１０にシリンジ（図示せず）を接続して使用する場合などにおいて、シリンジを握りながらプロテクタ２の上面（開口部４と反対側の面）の第１針体係止部５に近いところを押すことで片手で容易に針体８をプロテクタ２で覆うことができる。第２針体係止部６は、針体８の針先９に近いところにあるため、針先９が露出することを防ぐことができる。
【００１５】
プロテクタ２は可塑性材料から構成されているため、プロテクタ２の第１針体係止部５に近いところを押して第１針体係止部５を針体８に係止しようとすると、プロテクタ２または針体８、あるいはプロテクタ２および針体８が撓り、第１針体係止部５が針体８に係止したとき、撓ったプロテクタ２または針体８の反発力（撓ったプロテクタが元の形状に戻ろうとする力）によって、容易に第２針体係止部６が針体８の針先９に近いところを係止することができる。
【００１６】
すなわち、プロテクタ２の第１針体係止部５に近いところを押して第１針体係止部５を針体８に係止すると、それに連動して第２針体係止部６が針体８の針先９に近いところを係止することができる。
【００１７】
なお、第１針体係止部５が第２針体係止部６より針体８に対する係止力が強いように設定することで、上述した押す力と、それにより生じる撓ったプロテクタ２の反発力とが増すために、上述した、第１針体係止部５が針体８に係止すると第２針体係止部６が針体８の針先９に近いところを係止する連動が生じやすくなる。
【００１８】
さらに、第１針体係止部５と第２針体係止部６との距離が、針体の長さを１としたとき、０．２〜０．８とすることで、適度なプロテクタ２の撓りが得られ、上述した連動が生じやすくなる。
【００１９】
第１針体係止部５の形状としては、断面図４に示すような開口部４の両側面から延びる一対の突起や、断面図５に示すような開口部４の一方の側面から延びる突起などがあげられる。第２針体係止部６の形状も同様なものがあげられる。
【００２０】
第１針体係止部５及び第２針体係止部６において、それぞれの、長さ、幅、厚さ、材料の可撓性や、隙間（Ｌ１，Ｌ２）などを調整することで、針体８に対する係止力を任意に設定することができる。これにより、上述した第１針体係止部５が第２針体係止部６より針体８に対する係止力が強いように設定することができる。
【００２１】
穿刺具１において、針２は、特に限定しないが、例えば、ステンレス鋼、アルミニウムまたはアルミニウム合金、チタンまたはチタン合金の金属で構成される。プロテクタ２、ハブ１０およびカラー１３などの針体２以外の部材は、特に限定しないが、例えば、ポリエチレン、ポリプロピレン、ポリブタジエン、エチレン−酢酸ビニル共重合体等のポリオレフィン、ポリ塩化ビニル、ポリウレタン、ポリスチレン、ポリメチルメタクリレート、ポリカーボネート、ポリアミド、ポリエチレンテレフタレート、ポリブチレンテレフタレート等のポリエステル、アクリル樹脂、ＡＢＳ樹脂、ＡＳ樹脂、アイオノマー、ポリアセタール、ポリフェニレンサルフィルド、ポリエーテルエーテルケトン等の樹脂材料があげられる。
【００２２】
次に、穿刺具１の使用方法について説明する。まず、穿刺具１にハブ１０の後端開口部からシリンジ（図示しない）を差し込む。この時、穿刺具１とシリンジは、ハブ１０の内面とシリンジ先端部の外面との摩擦嵌合またはねじ込み嵌合により固定される。そして、プロテクタ２が、第１の位置（図１の状態）にある状態で、針体８を針先９から目標に穿刺する。通常、プロテクタ２は刃面の向く方向に位置させておくが、刃面の向きを確認しながら穿刺したい場合や、利き手の関係からプロテクタ２を第２の位置に移動させるための指の位置などを考慮して、刃面に対し左右いずれの方向に位置させても良い。
【００２３】
なお、穿刺前の針体８の保護は、針体係止部で針体８を係止することなく、プロテクタ２で予め針体８を覆っておき使用直前に第１の位置に移動させるか、プロテクタ２が第１の位置にある状態で別の筒状のプロテクタで針体８を覆っておき、使用直前にそれを外すことにより行うこともできる。
【００２４】
穿刺後、プロテクタ２の第１針体係止部５に近いところを押しながら、プロテクタ２を第２の位置の方向に移動させる。この時、第１針体係止部５が第２針体係止部６より先に針体８に接触する。これを強く押して第１針体係止部５を針体８に係止させようと、プロテクタ２または針体８、あるいはプロテクタ２および針体８が撓り、第１針体係止部５が針体８に係止したとき、撓ったプロテクタ２または針体８の反発力（撓ったプロテクタが元の形状に戻ろうとする力）によって、容易に第２針体係止部６が針体８の針先９に近いところを係止し、針体８がプロテクタ２の収納空間３内に固定される。
【００２５】
【発明の効果】
本発明により、針体に向けて回動させて針体を覆うプロテクタ付き穿刺具において、確実かつ容易に針先を覆うことができる穿刺具を提供することができる。
【図面の簡単な説明】
【図１】本発明に係る穿刺具１の正面図である。
【図２】本発明に係る穿刺具１の右側面図である。
【図３】本発明に係る穿刺具１の使用形態を示す断面図である。
【図４】本発明に係る穿刺具１の一形態の第２の位置における第１針体係止部５付近の断面図である。
【図５】本発明に係る穿刺具１の一形態の第２の位置における第１針体係止部５付近の断面図である。
【図６】比較とする穿刺具の断面図である。
【図７】比較とする穿刺具の断面図である。
【符号の説明】
１    穿刺具
２    プロテクタ
３    収納空間
４    開口部
５    第１針体係止部
６    第２針体係止部
７    回動軸
８    針体
９    針先
１０    ハブ
１１    挟持部
１２    孔
１３    カラー
【図１】
0004819256.tif 000002
【図２】
0004819256.tif 000003
【図３】
0004819256.tif 000004
【図４】
0004819256.tif 000005
【図５】
0004819256.tif 000006
【図６】
0004819256.tif 000007
【図７】
0004819256.tif 000008